(57)【要約】【課題】迅速且つ正確な入力操作を可能にする入力ペン本体の保持部に具えられるペン先部を安価且つ容易に製造できるようにする。【解決手段】柱状の弾性を有する芯材３ａと、該芯材３ａの側周面を被覆する導電繊維よりなる外皮材３ｂとからなる複合材３ｃを折曲するとともに、その端部３ｄ、３ｄを互いに一体として、入力ペン本体２先端の孔状の保持部２ａ内に挿入して保持される被保持部３ｅを形成するものであるので、タッチパネルに対して迅速且つ正確な入力操作が可能になると共に、該ペン先部を安価且つ容易に製造することができるものである。【選択図】図３
2013254260.tif 000002
【特許請求の範囲】
【請求項１】
導電性を有する入力ペン本体又は入力ペン本体内に出没自在に装填され、導電性を有するレフィール先端の保持部に保持され、
柱状又は管状の弾性を有する芯材と、該芯材の側周面を被覆する導電繊維よりなる外皮材とからなる複合材を折曲するとともに、その端部を互いに一体として上記保持部に保持される被保持部を形成してなる
ことを特徴とする入力ペンのペン先部。
【請求項２】
折曲するとともに、その端部を互いに一体として上記保持部に保持される被保持部を形成する上記複合材の内側に空隙を形成又は調整部材を挟持させる
ことを特徴とする請求項１記載の入力ペンのペン先部。
【請求項３】
折曲するとともに、その端部を熱溶着、又は加締められたカシメ材によって互いに一体として上記保持部に保持される被保持部を形成してなる
ことを特徴とする請求項１又は請求項２記載の入力ペンのペン先部。
【請求項４】
導電性を有する入力ペン本体又は入力ペン本体内に出没自在に装填され、導電性を有するレフィール先端の保持部に保持されるペン先部を、
長尺の柱状又は管状の弾性を有する芯材と、該芯材の側周面を被覆する導電繊維よりなる外皮材とからなる複合材から所定の長さの複合材を切断し、
切断した該複合材を折曲し、
折曲した該複合材の端部を互いに一体として上記保持部に保持される被保持部を形成する
ことを特徴とする請求項１記載の入力ペンのペン先部の製造方法。
【請求項５】
切断した該複合材を折曲するとともに、該複合材の内側に空隙を形成又は調整部材を挟持させる
ことを特徴とする請求項２記載の入力ペンのペン先部の製造方法。
【請求項６】
折曲した該複合材の端部を熱溶着し、又はカシメ材により加締めることによって互いに一体として上記保持部に保持される被保持部を形成する
ことを特徴とする請求項３記載の入力ペンのペン先部の製造方法。
【発明の詳細な説明】
【技術分野】
【０００１】
本願発明は、静電容量方式タッチパネル（以下、「タッチパネル」という。）の画面に対して入力操作を行う入力ペンのペン先部と、該入力ペンのペン先部の製造方法に関するものである。
【背景技術】
【０００２】
上記入力ペンは、該入力ペン先端のペン先部を直接タッチパネルの画面に接触させ、その位置における静電容量変化に伴う電気量変化を検出することによって、アイコンの選択等の入力操作を行うものである。
そのため、直接タッチパネルの画面に接触する入力ペン先端のペン先部はまず導電性を有するものであることが必要であり、例えば次のようなものがある。
すなわち、入力ペン先端のペン先部を、導電性を有する繊維束を樹脂バインダーにより固化或いは樹脂繊維を熱溶着してなるもの（特許文献１参照）、導電性ゴム或いはゴムにおいてカーボンブラックや金属粉末等を配合した複合材料からなるもの（特許文献２参照）、導電性ゴムの内部を中空形状としてなるもの（特許文献３参照）、又は導電コアを包み覆い、シリコン或いは導電性シリコンからなる可撓性体を導電性を備える布質被覆体によってさらに包み覆ってなるもの（特許文献４参照）等である。
【０００３】
ところで、上記入力ペン先端のペン先部を、導電性を有する繊維束を樹脂バインダーにより固化或いは樹脂繊維を熱溶着してなるものとすると、該ペン先部はタッチパネルの画面より非常に硬くなるものである。そのため、入力ペンのペン先部とタッチパネルの画面との間に生じる摩擦は非常に小さくなって入力ペン先端のペン先部は円滑に摺動し、軽快な入力操作を行うことができる。
しかしながら、該ペン先部がタッチパネルの画面よりも非常に硬くなると、入力操作におけるタッチパネルの画面に対する衝撃によって画面を傷つけ易い上、ペン先部の変形がほとんどないため、タッチパネルの画面に接触させてもペン先部によって発生する静電容量変化に伴う電気量変化を十分に検出することができず、迅速且つ正確な入力操作を行うことができない恐れがある。
【０００４】
次に、上記入力ペン先端のペン先部を、導電性ゴム或いはゴムにカーボンブラックや金属粉末等を配合した複合材料としてなるものとすると、導電性ゴム等のペン先部は弾力性を有するのでタッチパネルの画面との接触によって容易に変形して、タッチパネルの画面とペン先部との接触面積が拡大することから静電容量変化に伴う電気量変化を十分に発生させるものである。そのため、拡大したタッチパネルの画面における静電容量変化に伴う電気量変化は確実に検出されるので、入力ペンによって正確な入力操作を行うことができる。
しかしながら、入力ペン先端のペン先部の主成分がゴムであるため、タッチパネルの画面との接触によりペン先部が大きく変形すると両者間に大きな摩擦が発生してしまい、入力ペンはタッチパネルの画面上を円滑に摺動できず、迅速な入力操作を行うことができない恐れがある。
【０００５】
さらに、上記入力ペン先端のペン先部を、導電性ゴムの内部を中空形状とするものとすると、タッチパネルの画面に接触させることによって圧力が掛かると、特に内部が中空であるのでペン先部は容易に変形し、タッチパネルの画面とペン先部との接触面積が拡大して静電容量変化に伴う電気量変化を十分に発生させるものである。そのため、タッチパネルの画面とペン先部との接触による静電容量変化に伴う電気量変化は確実に検出され、入力ペンによって正確な入力操作を行うことができる。
しかしながら、ゴムよりなるペン先部のためタッチパネルの画面との摩擦が大きく円滑な摺動ができない上、タッチパネルの画面に接触した際に掛かる圧力が大きくなるとペン先部の変形が過大となり、タッチパネルの画面に表示されるアイコンを正確に選択しにくくなり、特に、近年の小さなタッチパネルの画面に表示される小さなアイコンでは不本意な誤入力が発生しやすくなって、迅速且つ正確な、しかも軽快な入力操作を行うことができない恐れがある。
【０００６】
そして、上記入力ペンのペン先部を、導電コアを包み覆い、シリコン或いは導電性シリコンからなる可撓性体を導電性を備える布質被覆体によってさらに包み覆ってなるものとすると、該ペン先部がタッチパネルの画面に接触すると可撓性体は内部に導電コアを包み覆っているので過大な圧力が加わっても適度な変形にとどまり、また、該可撓性体の表面を包み覆ってなる布質被覆体のタッチパネルの画面に対する摩擦は小さいものである。そのため、タッチパネルの画面とペン先部との接触による静電容量変化に伴う電気量変化は確実に検出され、入力ペンによって迅速且つ正確な入力操作を行うことができるとともに、入力ペン先端のペン先部は円滑に摺動して軽快な入力操作を行うことができる。
しかしながら、可撓性体を包み覆ってなる布質被覆体は、一つ一つの可撓性体の形状に合わせて均一に被覆する必要があるのでその形状によっては被覆作業が非常に複雑となり、ペン先部の製造作業の作業効率は低下し、製造コストが著しく上昇する恐れがある。
【先行技術文献】
【特許文献】
【０００７】
【特許文献１】特開平１０−１７１５７９号公報
【特許文献２】特開平１０−１６１７９５号公報
【特許文献３】特開２０１２−５８８６８号公報
【特許文献４】実用新案登録第３１６９００５号公報
【発明の概要】
【発明が解決しようとする課題】
【０００８】
解決しようとする課題は、迅速且つ正確な入力操作を可能にする入力ペン先端のペン先部を安価且つ容易に製造できるようにすることである。
【課題を解決するための手段】
【０００９】
本願発明は、入力ペンのペン先部を、柱状又は管状の弾性を有する芯材と、該芯材の側周面を被覆する導電性繊維よりなる外皮材とによって形成される複合材を折曲するとともに、その端部を互いに一体として入力ペンの保持部に保持する被保持部を形成してなることを最も主要な特徴とする。
【００１０】
第１の特徴として、
導電性を有する入力ペン本体又は入力ペン本体内に出没自在に装填され、導電性を有するレフィール先端の保持部に保持され、
柱状又は管状の弾性を有する芯材と、該芯材の側周面を被覆する導電繊維よりなる外皮材とからなる複合材を折曲するとともに、その端部を互いに一体として上記保持部に保持される被保持部を形成してなるものである。
【００１１】
そのため、ペン先部は芯材の有する弾性によって適度に変形するとともに、該芯材の側周面を被覆する外皮材によってタッチパネルの画面上を円滑に摺動するものである。その結果、入力ペンによる入力操作を、迅速且つ正確に行うことができるとともに、軽快に行うことができる。
【００１２】
ここで、ペン先部を形成する芯材の材質としては、例えばシリコンゴム、ウレタンゴム、イソプレンゴム、エチレンプロピレンゴム、天然ゴム、エチレンプロピレンジエンゴム、或いはスチレンブタジエンゴムなどの熱硬化性エストラマー、ウレタン系、エステル系、スチレン系、オレフィン系、ブタジエン系、或いはフッ素系等の熱可塑性エラストマー、或いはそれらの複合物等を用いることができる。
【００１３】
なお、複合材を形成する芯材は、タッチパネルに対する入力操作において反発や重量等の操作性を左右するので、内部が中実となっている柱状の他、低反発や軽量等の操作性の向上を目的として内部が中空となっている管状とするものであっても良いものである。
【００１４】
第１の特徴を踏まえて、第２の特徴として、
折曲するとともに、その端部を互いに一体として上記保持部に保持される被保持部を形成する上記複合材の内側に空隙を形成又は調整部材を挟持させるものである。
【００１５】
そのため、ペン先部は芯材に有する弾性によって適度に変形するとともに、該芯材の側周面を被覆する外皮材によってタッチパネルの画面上を円滑に摺動するものである。その結果、入力ペンによる入力操作を、迅速且つ正確に行うことができるとともに、軽快に行うことができる。
【００１６】
さらに、ペン先部を形成する折曲した複合材の内側に形成される空隙や挟持される調整部材によりペン先部の変形が変化する。すなわち複合材の内側に空隙が形成されれば芯材の変形量は拡大し、より確実に静電容量変化に伴う電気量変化は確実に検出されるものとなり、また複合材の内側に挟持する調整部材を硬くすると芯材の変形量は縮小し、小さなアイコンに対する入力操作を確実に行えるものである。その結果、一つの複合材によってペン先部をあらゆるタッチパネルの画面に対する最適な入力操作を可能にすることができるものである。
【００１７】
そして、第１の特徴及び第２の特徴を踏まえて、第３の特徴として、
折曲するとともに、その端部を熱溶着、又は加締められたカシメ材によって互いに一体として上記保持部に保持される被保持部を形成してなるものである。
【００１８】
そのため、ペン先部、特に該ペン先部の被保持部形状は安定するものである。その結果、折曲したままのペン先部として取り扱うことができるので、破損や消耗に伴う交換及び筆記具の後端の消しゴムの代替品としての取付をおこなうことができる。
【００１９】
そして、第４の特徴として、上記第１の特徴を具える入力ペンの製造において、
導電性を有する入力ペン本体又は入力ペン本体内に出没自在に装填され、導電性を有するレフィール先端の保持部に保持されるペン先部を、
長尺の柱状又は管状の弾性を有する芯材と、該芯材の側周面を被覆する導電繊維よりなる外皮材とからなる複合材から所定の長さの複合材を切断し、
切断した該複合材を折曲し、
折曲した該複合材の端部を互いに一体として上記保持部に保持される被保持部を形成するものである。
【００２０】
そのため、ペン先部となる複合材は長尺である複合材から所定の長さを切断するだけであるので、無駄な複合材片は発生しないものである。
さらに、ペン先部は切断した後の複合材を折曲した上で、その端部を一体とするだけで入力ペン本体や入力ペン本体内に出没自在に装填されるレフィールの保持部の保持される被保持部が形成されるので、製造作業における作業効率は向上するものである。
その結果、迅速且つ正確な入力操作を可能とするペン先部を、安価且つ容易にの製造することができる。
【００２１】
ここで、長尺の複合材を切断するにあたり、単に切断するだけでなく、加熱しながら切断することによって複合材の芯材の切断面は溶融し、その側周面を被覆する外皮材の端部と一体になって固化するので、該芯材の側周面は外皮材によって強固に被覆されるものとなる。その結果、製造作業中のみならず入力操作中においてペン先部の外皮材に対して余分な力が加わっても、外皮材が芯材から外れることはなく、製造作業をより容易にするとともに、製品としての耐久性をも向上させることができる。
【００２２】
そして、ペン先部を形成する芯材は柱状又は管状とするものであるが、その横断面外形状は半円形状、円形状、楕円形状又は三角形状や四角形状を含む多角形状としても良いものである〔図４（イ）〜（ホ）〕。すなわち、例えば入力ペン本体やレフィール先端の保持部の横断面外形状が円形状の場合、横断面外形状が半円形状とした芯材を折曲し、その端部を一体にして被保持部を形成すると、該被保持部の横断面外形状は略円形状となる。また、入力ペン本体やレフィール先端の保持部の横断面外形状が正方形状の場合、横断面外形状が長方形状とした芯材を折曲し、その端部を一体にして被保持部を形成すると、該被保持部の横断面外形状は略正方形状となる。その結果、より簡易且つ確実にペン先部の被保持部を入力ペン本体やレフィール先端の保持部に保持させることができる。
【００２３】
そして、第４の特徴を踏まえて、第５の特徴として、上記第２の特徴を具える入力ペンの製造において、
切断した該複合材を折曲するとともに、該複合材の内側に空隙を形成又は調整部材を挟持させるものである。
【００２４】
そのため、ペン先部となる複合材は長尺である複合材から所定の長さを切断するだけであるので、無駄な複合材片は発生しないものである。
さらに、ペン先部は切断した後の複合材を折曲した上で、その端部を一体にとして入力ペン本体や入力ペン本体内に出没自在に装填されるレフィールの保持部の保持される被保持部を形成するだけであるので、製造作業における作業効率は向上するものである。
その結果、迅速且つ正確な入力操作を可能とするペン先部を、安価且つ容易にの製造することができる。
【００２５】
さらに、折曲して、端部を互いに一体として被保持部を形成してなる複合材の内側に空隙を形成又は調整部材を挟持させることで、ペン先部の変形量が変化するものである。その結果、入力ペン本体やレフィール先端の保持部に保持するペン先部の変形量をタッチパネルの画面に対する入力操作に対応させる必要が生じても、一つの複合材によってタッチパネルの画面の入力操作に最適なペン先部を製造することができる。
【００２６】
そして、第４の特徴及び第５の特徴を踏まえて、第６の特徴として、上記第１の特徴及び第２の特徴を具える入力ペンの製造において、
折曲した該複合材の端部を熱溶着し、又はカシメ材により加締めることによって互いに一体として上記保持部に保持される被保持部を形成するものである。
【００２７】
そのため、ペン先部、特に該ペン先部の被保持部形状は安定するので、入力ペン本体やレフィール先端の保持部に対してより簡易且つ確実に保持されるものとなる。その結果、製造作業における作業効率は向上するので、迅速且つ正確な入力操作を可能とするペン先部を、安価且つ容易に製造することができる。
【発明の効果】
【００２８】
本願発明の入力ペンにおいて、入力ペン本体やレフィール先端の保持部に保持されるペン先部を、柱状又は管状の弾性を有する芯材と、該心材の側周面を被覆する導電繊維よりなる外皮材とからなる複合材を折曲するとともに、その端部を互いに一体として被保持部を形成するので、迅速且つ正確な、しかも軽快な入力操作を可能とし、さらにその製造作業において無駄を発生させることなく安価に、且つ容易に製造することができる優れた効果を有するものである。
【図面の簡単な説明】
【００２９】
【図１】図１は本願発明の実施例１であるペン先部を具える入力ペンの正面図である。
【図２】図２（イ）は本願発明の実施例１であるペン先部の正面図、（ロ）はそのＡ−Ａ拡大横断面図である。
【図３】図３は本願発明の実施例１であるペン先部及び該ペン先部を保持する入力ペンの製造作業を示す模式図である。
【図４】図４（イ）〜（ホ）は本願発明の実施例に使用する複合材の芯材の横断面外形状と、その折曲状態での横断面外形状を示した図である。
【図５】図５は本願発明の実施例２であるペン先部を具える入力ペンの正面図である。
【図６】図６は本願発明の実施例２であるペン先部を具える入力ペン本体内に装填されるレフィールの正面図である。
【図７】図７（イ）は本願発明の実施例２であるペン先部の正面図、（ロ）はそのＡ−Ａ拡大横断面図である。
【図８】図８は本願発明の実施例２であるペン先部及び該ペン先部を保持する入力ペンの製造作業を示す模式図である。
【図９】図９は本願発明の実施例３であるペン先部を具える筆記具の正面図である。
【図１０】図１０（イ）は本願発明の実施例３であるペン先部の正面図、（ロ）はその拡大横断面図である。
【図１１】図１１は本願発明の実施例３であるペン先部及び該ペン先部を保持する筆記具の製造作業を示す模式図である。
【発明を実施するための形態】
【００３０】
迅速且つ正確な入力操作を可能にする入力ペン本体やレフィール先端の保持部に具えられるペン先部を安価且つ容易に製造するという目的のために、該ペン先部を、弾性を有する芯材と、該芯材の側周面を被覆するで導電繊維よりなる外皮材とからなる複合材を折曲するとともに、その端部を一体として被保持部とすることで実現した。
【実施例１】
【００３１】
図１において示す１は静電容量式タッチパネル（以下、「タッチパネル」という。）の画面上においてアイコンの選択等の入力操作を行う入力ペンである。
さらに、上記入力ペン１は、導電性を有し、先端に孔状の保持部２ａを穿設してなる入力ペン本体２と、該入力ペン本体２先端に穿設される孔状の保持部２ａ内に保持される本願発明の実施例１のペン先部３とから構成される。
【００３２】
そして、上記ペン先部３は、横断面外形状が円形状である柱状の弾性を有する芯材３ａと、該芯材３ａの側周面を被覆する導電繊維よりなる外皮材３ｂとからなる複合材３ｃを折曲するとともに、その端部３ｄ、３ｄを互いに一体として上記保持部２ａ内に挿入、保持される被保持部３ｅを形成してなるものである（図２参照）。
【００３３】
ここで、上記ペン先部３は、図３において示すように、横断面外形状が円形状である柱状の弾性を有する芯材３ａと、該芯材３ａの側周面を被覆する導電繊維よりなる外皮材３ｂとからなる長尺の複合材３ｃ〔同図（イ）参照〕から所定の長さの複合材３ｃを切断し〔同図（ロ）参照〕、
切断した該複合材３ｃを折曲し、
該折曲した該複合材３ｃの端部３ｄ、３ｄを互いに一体として被保持部３ｅを形成してなるものである〔同図（ハ）参照〕。
そこで、該ペン先部３の被保持部３ｅを入力ペン本体２先端の保持部２ａ内に挿入して保持させることで入力ペン１となるものである〔同図（ニ）、（ホ）参照〕。
【００３４】
上記入力ペン１のペン先部３は以上の構成を具えるので、タッチパネルに対して入力操作を行う際には、該ペン先部３は芯材３ａの有する弾性によって適度に変形するとともに、該芯材３ａの側周面を被覆する外皮材３ｂによってタッチパネルの画面上を円滑に摺動するものである。その結果、入力ペン１による入力操作を、迅速且つ正確に行うことができるとともに、軽快に行うことができるものである。
【００３５】
そして、該ペン先部３の製造作業では、ペン先部３となる複合材３ｃは長尺である複合材３ｃから所定の長さを切断するだけであるので、無駄な複合材片は発生しないものである。
さらに、ペン先部３は切断した後の複合材３ｃを折曲した上で、その端部３ｄ、３ｄを一体とするだけで入力ペン本体２先端の保持部２ａの保持される被保持部３ｅが形成されるので、製造作業における作業効率は向上するものである。
その結果、迅速且つ正確な入力操作を可能とするペン先部３を、安価且つ容易に製造することができるものである。
【実施例２】
【００３６】
図５において示す１’は、実施例１と同様に、タッチパネルにおいてアイコンの選択等の入力操作を行う入力ペンであり、該入力ペン１’は、入力ペン本体２’の内部にノック部４への打突によって出没自在となる先端に本願発明の実施例２であるペン先部３’を保持してなるレフィール５を装填されるものである。
さらに、該入力ペン本体２’の内部に出没自在に装填されるレフィール５は、導電性を有し、先端に孔状の保持部５ａを穿設してなるレフィール本体５ｂと、該レフィール本体５ｂ先端に穿設される孔状の保持部５ａに保持される本願発明の実施例２のペン先部３’とから構成される（図６参照）。
【００３７】
そして、上記本願発明の実施例２のペン先部３は、横断面外形状が円形状である柱状の弾性を有する芯材３ａ’と、該芯材３ａ’の側周面を被覆する導電繊維よりなる外皮材３ｂ’とからなる複合材３ｃ’を折曲するとともに、その内側に調整部材３ｆ’を挟持させながらその端部３ｄ’、３ｄ’を互いに一体として上記レフィール５の保持部５ａに保持される被保持部３ｅ’を形成してなるものである（図７参照）。
【００３８】
ここで、上記ペン先部３’は、図８において示すように、横断面外形状が円形状である柱状の弾性を有する芯材３ａ’と、該芯材３ａ’の側周面を被覆する導電繊維よりなる外皮材３ｂ’とからなる長尺の複合材３ｃ’〔同図（イ）参照〕から所定の長さの複合材３ｃ’を切断し〔同図（ロ）参照〕、
切断した該複合材３ｃ’を折曲し、その内側に調整部材３ｆ’を挟持させながら〔同図（ハ）参照〕、
折曲した該複合材３ｃ’の端部３ｄ’、３ｄ’を互いに一体として被保持部３ｅ’を形成してなるものである〔同図（ニ）参照〕。
そこで、該ペン先部３’の被保持部３ｅ’をレフィール５先端の保持部５ａ内に挿入して保持させることで入力ペン１’となるものである〔同図（ホ）、（ヘ）参照〕。
【００３９】
上記入力ペン１'の内部に装填されるレフィール５先端の保持部５ａに保持されるペン先部３’は以上の構成を具えるので、ノック部４への打突により入力ペン本体２’先端より該ペン先部３’を突出させた上でタッチパネルに対して入力操作を行う際には、ペン先部３’は芯材３ａ’に有する弾性によって適度に変形するとともに、該芯材３ａ’の側周面を被覆する外皮材３ｂ’によってタッチパネルの画面上を円滑に摺動するものである。その結果、入力ペン１’による入力操作を、迅速且つ正確に行うことができるとともに、軽快に行うことができるものである。
【００４０】
さらに、ペン先部３’を形成する折曲した複合材３ｃ’の内側に挟持される調整部材３ｆ’によりペン先部３’の変形が変化、すなわち複合材３ｃ’の内側に挟持する調整部材３ｆ’を硬くすると芯材３ａ’の変形量は縮小し、また柔らかくすると芯材３ａ’の変形量は拡大するものである。その結果、一つの複合材３ｃ’によってペン先部３’をあらゆるタッチパネルの画面に対する最適な入力操作を可能にすることができるものである。
【００４１】
そして、該ペン先部３’の製造作業では、実施例１と同様に、ペン先部３’となる複合材３ｃ’は長尺である複合材３ｃ’から所定の長さを切断するだけであるので、無駄な複合材片は発生しないものである。
【００４２】
さらに、ペン先部３’は切断した後の複合材３ｃ’を折曲した上で、その端部３ｄ’、３ｄ’を一体とするだけで入力ペン本体２’内に出没自在に装填されるレフィール５の保持部５ａの保持される被保持部３ｅ’は形成されるので、製造作業における作業効率は向上するものである。
その結果、迅速且つ正確な入力操作を可能とするペン先部３’を、安価且つ容易にの製造することができるものである。
【００４３】
さらに、折曲して、端部３ｄ’、３ｄ’を互いに一体としてなる複合材３ｃ’の内側に調整部材３ｆ’を挟持させると、ペン先部３’の芯材３ａ’の変形量は該調整部材３ｆ’の硬軟によって変化するものである。その結果、レフィール５先端の保持部５ａに保持するペン先部３’の変形量をタッチパネルの画面に対する入力操作に対応させる必要が生じた場合には、一つの複合材３ｃ’によってあらゆるタッチパネルの画面の入力操作に最適な入力ペン１’のペン先部３’を製造することができるものである。
【実施例３】
【００４４】
図９において示す１”は、タッチパネルにおいてアイコンの選択等の入力操作を行うことができる筆記具である。
さらに、該筆記具１”は、筆記具本体２”と、該筆記具本体２”の後端に穿設される孔状の保持部２ａ”に保持されている本願発明の実施例３のペン先部３”とから構成される。
【００４５】
そして、上記ペン先部３”は、横断面外形状が円形状である柱状の弾性を有する芯材３ａ”と、該芯材３ａ”の側周面を被覆する導電繊維よりなる外皮材３ｂ”とからなる複合材３ｃ”を折曲するとともに、その端部３ｄ”、３ｄ”を環状のカシメ材３ｇ”によって加締めることで互いに一体として上記筆記具１”の保持部２”に保持される被保持部３ｅ”を形成してなるものである（図１０参照）。
【００４６】
ここで、上記ペン先部３”は、図１１において示すように、横断面外形状が円形状である柱状の弾性を有する芯材３ａ”と、該芯材３ａ”の側周面を被覆する導電繊維よりなる外皮材３ｂ”とによって形成される長尺の複合材３ｃ”〔同図（イ）参照〕から所定の長さの複合材３ｃ”を切断し〔同図（ロ）参照〕、
切断した該複合材３ｃ”を折曲し〔同図（ハ）参照〕、
折曲した該複合材３ｃ”の端部３ｄ”、３ｄ”を環状のカシメ材３ｇ”によって加締めることで互いに一体として被保持部３ｅ”を形成してなるものである〔同図（ニ）参照〕。
そこで、該ペン先部３”の被保持部３ｅ”を筆記具本体２”後端の保持部２ａ”内に挿入して保持させてなるものである〔同図（ホ）、（ヘ）参照〕。
【００４７】
上記筆記具１”のペン先部３”は以上の構成を具えるので、実施例１及び実施例２と同様に、筆記具１”の筆記具本体２”の後端に保持されるペン先部３”によりタッチパネルに対して入力操作を行う際には、該ペン先部３”は芯材３ａ”に有する弾性によって適度に変形するとともに、該芯材３ａ”の側周面を被覆する外皮材３ｂ”によってタッチパネルの画面上を円滑に摺動するものである。その結果、筆記具１”による入力操作を、迅速且つ正確に行うことができるとともに、軽快に行うことができる。
【００４８】
そして、該ペン先部３”は、カシメ材３ｇによる加締めによって被保持部３ｅ”も含めてその形状は折曲したままで安定するので、より簡易且つ確実に筆記具１”の後端の保持部２ａ”に保持させることができる。
その上、折曲したままのペン先部３”として取り扱うことができるので、破損や消耗に伴うペン先部３”の交換及び筆記具の後端の消しゴムの代替品としての取付を行うこともできるものである。
【００４９】
また、該ペン先部３”の製造においては、実施例１及び実施例２と同様に、ペン先部３”となる複合材３ｃ”は長尺である複合材３ｃ”から所定の長さを切断するだけであるので、無駄な複合材片は発生しないものである。
【００５０】
さらに、ペン先部３”は切断した後の複合材３ｃ”を折曲した上で、その端部３ｄ”、３ｄ”を一体として筆記具本体２”の保持部２ａ”の保持される被保持部３ｅ”が形成されるので、製造作業における作業効率は向上するものである。
その結果、迅速且つ正確な入力操作を可能とするペン先部３”を、安価且つ容易に製造することができる。
【００５１】
その上、ペン先部３”、特に該ペン先部３”の被保持部形状は安定するので、製造作業において筆記具本体２”の保持部２ａ”に対してより簡易且つ確実に保持されるものとなる。その結果、製造作業における作業効率は向上するので、迅速且つ正確な入力操作を可能とするペン先部３”を、安価且つ容易に製造することができるものである。
【符号の説明】
【００５２】
１、１’    入力ペン
１”    筆記具
２、２’    入力ペン本体
２ａ、２ａ’    保持部
２”    筆記具本体
２ａ”    保持部
３、３’、３”    ペン先部
３ａ、３ａ’、３ａ”    芯材
３ｂ、３ｂ”、３ｂ”    外皮材
３ｃ、３ｃ’、３ｃ”    複合材
３ｄ、３ｄ’、３ｄ”    端部
３ｅ、３ｅ’、３ｅ”    被保持部
３ｆ’    調整部材
３ｇ”    カシメ材
４    ノック部
５    レフィール
５ａ    保持部
【図１】
2013254260.tif 000003
【図２】
2013254260.tif 000004
【図３】
2013254260.tif 000005
【図４】
2013254260.tif 000006
【図５】
2013254260.tif 000007
【図６】
2013254260.tif 000008
【図７】
2013254260.tif 000009
【図８】
2013254260.tif 000010
【図９】
2013254260.tif 000011
【図１０】
2013254260.tif 000012
【図１１】
2013254260.tif 000013